(57)【特許請求の範囲】
【請求項１】
一対の鉗子部材が長手方向の中間部において枢軸によって回動自在に連結されることにより、上記枢軸の基端部側に互いに接離操作される把持部が形成されるとともに、先端部側に上記接離操作によって開閉して歯牙を挟持する挟持部が形成された抜歯鉗子において、
一対の上記挟持部の対向面に、それぞれ先端から上記基端部側に向けて幅寸法および上記対向面からの深さ寸法が漸次小さくなるように上記対向面の先端部分が切り欠かれることにより、上記先端と上記対向面とに開口し、かつ上記対向面における縁部が上記枢軸に直交するとともに上記鉗子部材の長手方向とも略直交する方向から見た側面視において半円弧状または半楕円弧状をなす凹部を形成するとともに、上記対向面上に、上記長手方向と直交する方向に延在する溝部を、上記長手方向に間隔をおいて複数形成することにより、上記凹部の縁部と上記溝部の山部との協働によって上記歯牙を挟持するようにしたことを特徴とする抜歯鉗子。
【請求項２】
上記挟持部の上記対向面は、軸線が上記枢軸の軸線と平行な円筒面に沿う凹面によって形成されていることを特徴とする請求項１に記載の抜歯鉗子。
【請求項３】
上記挟持部の先端部の幅寸法は、２ｍｍ〜５ｍｍの範囲に設定されていることを特徴とする請求項１または２に記載の抜歯鉗子。
【発明の詳細な説明】
【技術分野】
【０００１】
本発明は、歯科治療において歯牙を抜歯する際に用いられる抜歯鉗子に関するものである。
【背景技術】
【０００２】
歯科治療において、虫歯等によって該当歯牙の抜歯治療を行う場合には、従来から一般に図９〜図１１に示すような抜歯鉗子が用いられている。
この抜歯鉗子２０は、一対の鉗子部材２１が長手方向の中間部において枢軸２２によって回動自在に連結されることにより、枢軸２２よりも基端側に医師の手で接離操作される把持部２３が形成されるとともに、枢軸２２よりも先端側に上記接離操作によって開閉して歯牙を挟持する挟持部２４が形成されたものである。
【０００３】
ここで、一対の挟持部２４の対向面は、幅方向の両端部において互いに接し、かつ上記幅方向の中央部において両者間に隙間Ｓが形成される凹円筒面２５によって形成されている。そして、図１２に示すように、把持部２２を握ることにより挟持部２４の凹円弧面２５間において抜歯治療を行う歯牙ｔを挟持し、当該抜歯鉗子を抜歯方向に引っ張ることによって上記歯牙ｔの抜歯を行っている。
【０００４】
このように、上記従来の抜歯鉗子は、図１２に示したように、挟持部２４の凹円弧面２５を歯牙ｔの側面に合致させて挟持しようとするものである。しかしながら、歯牙ｔの形状あるいは大きさは患者によって異なる。このため、汎用の抜歯鉗子にあっては、凹円弧面２５の曲率半径が一般的な歯牙よりも僅かに大きくなるように上記挟持部２４の幅寸法が設計されている。
【０００５】
この結果、患者の個人差によって、歯牙ｔを凹円弧面２５の全面によって挟持できることは稀であって、通常は図１２に示すように、上記歯牙ｔを各々の挟持部２４の凹円弧面２５の中央部における対向支持（２点支持）によって挟持しているために、安定した保持を行うことが難しいという問題点があった。しかも、抜歯時には、歯牙ｔに対する強い保持力が必要とされるために、把持部２３を一層強い力で握る必要があり、治療に大きな労力を要するという問題点もあった。
【０００６】
また、う食（虫歯）により歯牙ｔの形状が崩れている場合には、予め歯牙ｔに合わせた抜歯鉗子によっては把持することが困難になるために、別途異なるサイズの抜歯鉗子を選択するなどの作業が必要になり、治療に余分な手間と時間を要するという問題点もあった。
【０００７】
さらに、上述したように、従来の抜歯鉗子は、挟持部２４の凹円弧面２５を歯牙ｔの側面に合致させて挟持しようとするものであるのに対して、人間の歯牙は、上顎および下顎の前歯、小臼歯および臼歯の形状がそれぞれ異なるために、各々の形状に合わせた挟持部の幅寸法や凹円弧面２５の曲率半径に形成された多くの種類の抜歯鉗子を用意しておく必要があり、設備費用が嵩むという問題点があった。
【先行技術文献】
【特許文献】
【０００８】
【特許文献１】特開平１１−２６７１３６号公報
【発明の概要】
【発明が解決しようとする課題】
【０００９】
本発明は、上記事情に鑑みてなされたものであり、従来よりも小さな力で歯牙を確実の保持することができるとともに、小型軽量化および治療に必要とされる本数の低減も図ることが可能になる抜歯鉗子を提供することを課題とするものである。
【課題を解決するための手段】
【００１０】
上記課題を解決するため、請求項１に記載の発明は、一対の鉗子部材が長手方向の中間部において枢軸によって回動自在に連結されることにより、上記枢軸の基端部側に互いに接離操作される把持部が形成されるとともに、先端部側に上記接離操作によって開閉して歯牙を挟持する挟持部が形成された抜歯鉗子において、一対の上記挟持部の対向面に、それぞれ先端から上記基端部側に向けて幅寸法および上記対向面からの深さ寸法が漸次小さくなるように上記対向面の先端部分が切り欠かれることにより、上記先端と上記対向面とに開口し、かつ上記対向面における縁部が上記枢軸に直交するとともに上記鉗子部材の長手方向とも略直交する方向から見た側面視において半円弧状または半楕円弧状をなす凹部を形成するとともに、上記対向面上に、上記長手方向と直交する方向に延在する溝部を、上記長手方向に間隔をおいて複数形成することにより、上記凹部の縁部と上記溝部の山部との協働によって上記歯牙を挟持するようにしたことを特徴とするものである。
【００１２】
さらに、請求項２に記載の発明は、請求項１に記載の発明において、上記挟持部の上記対向面は、軸線が上記枢軸の軸線と平行な円筒面に沿う凹面によって形成されていることを特徴とするものである。
【００１３】
また、請求項３に記載の発明は、請求項１または２に記載の発明において、上記挟持部の先端部の幅寸法は、２ｍｍ〜５ｍｍの範囲に設定されていることを特徴とするものである。
なお、請求項１〜３に記載の発明において、幅方向とは、鉗子部材の長手方向と直交する方向をいうものである。
【発明の効果】
【００１４】
請求項１〜３のいずれかに記載の発明によれば、一対の挟持部の対向面に、それぞれ先端から基端部側に向けて幅寸法および深さ寸法が漸次小さくなる凹部を形成しているために、抜歯すべき歯牙を各々上記凹部に位置するようにして挟持すると、少なくとも一方の対向面において半円弧状または半楕円弧状をなす凹部の縁部が上記挟持部の幅方向の２箇所において歯牙に当接する。
【００１５】
したがって、上記歯牙の両側から一対の挟持部によって、力学的なバランスに優れた３点支持または４点支持により上記歯牙を挟持することができる．この結果、小さな把持力によっても、強固かつ安定的に上記歯牙を保持することができる。しかも、対向面内に形成された凹部の縁部の上記幅方向２箇所において歯牙を支持する構造であるために、挟持部の幅寸法を従来よりも小さくして、小型軽量化を図ることもできる。
【００１６】
また、挟持部の幅寸法を小さくしても確実に挟持することができる結果、例えばう食（虫歯）により歯牙の形状が崩れている場合にも、当該歯牙を両挟持部によって少なくとも３点支持により挟持することができ、治療効率を向上させることができる。
【００１７】
さらに、１種類の挟持部の幅寸法の抜歯鉗子によって、大きさの異なる複数種類の歯牙を挟持することができるために、歯科医師において用意しておくべき抜歯鉗子の種類および本数を従来よりも低減させることができ、経済性にも優れる。
【００１８】
特に、請求項３に記載の発明にように、挟持部の先端部の幅寸法を２ｍｍ〜５ｍｍの範囲に設定しておけば、従来幅寸法の異なるものを３〜４本用意する必要があったものを、１本の抜歯鉗子によって対応することが可能になるために、好適である。
【００１９】
また、歯牙の形状は、前歯では歯肉に近づくと広がるのに対して、小臼歯や大臼歯においては歯肉に近づくに連れて絞り込まれたアンカーカット形状を呈しており、いずれも複雑かつ有機的な三次元形状になっている。さらに、上述したように、う食（虫歯）により歯牙の形状が崩れている場合もある。
【００２０】
これに対し、請求項１に記載の発明においては、上記挟持部の対向面上に、長手方向と直交する方向に延在する溝部を上記長手方向に間隔をおいて複数形成しているために、上記凹部の縁部と上記溝部間の山部との組み合わせによって、複雑かつ有機的な三次元形状の歯牙の対向箇所を確実に挟持することが可能になる。加えて、溝部が形成する山谷のスパイク効果との協働により、一層小さな把持力によって強力に歯牙を挟持することが可能になる。
【００２１】
さらに、請求項２に記載の発明によれば、挟持部の対向面を、軸線が枢軸の軸線と平行な円筒面に沿う凹面によって形成しているために、小臼歯や大臼歯のように歯肉に近づくに連れて絞り込まれたアンカーカット形状を呈する歯牙にも、挟持部の先端を当接させて円滑に挟持することができる。
【図面の簡単な説明】
【００２２】
【図１】本発明に係る抜歯鉗子の一実施形態における鉗子本体を示す側面図である。
【図２】上記一実施形態の正面図である。
【図３】図１の挟持部の拡大図である。
【図４】図２の先端部の平面図である。
【図５】上記実施形態の抜歯鉗子で歯牙を挟持した状態を示す平面図である。
【図６】上記実施形態の抜歯鉗子で３種類の歯牙を挟持した状態を示す側面図である。
【図７】本発明の他の実施形態を示す先端部分の側面図である。
【図８】本発明のその他の実施形態を示す先端部分の側面図である。
【図９】従来の抜歯鉗子を示す側面図である。
【図１０】図９の正面図である。
【図１１】図１１の先端部分の平面図である。
【図１２】従来の抜歯鉗子で歯牙を挟持した状態を示す平面図である。
【発明を実施するための形態】
【００２３】
図１〜図４は、本発明に係る抜歯鉗子を前歯用の抜歯鉗子に適用した一実施形態を示すもので、この抜歯鉗子は、一対の鉗子部材１が長手方向の中間部において枢軸２によって回動自在に連結されることにより、枢軸２の基端部側に互いに接離操作される把持部３が形成されるとともに、把持部３の対向面間に、把持部３を開く方向に付勢する板バネ４が介装され、枢軸２の先端部側に上記接離操作によって開閉して歯牙を挟持する挟持部５が形成されたものである。
【００２４】
ここで、挟持部５の対向面における先端部分は、軸線Ｃ（図３参照。）が枢軸２の軸線と平行な円筒面に沿う凹面によって形成されている。また、挟持部５の先端部の幅寸法Ｗは、２ｍｍ〜５ｍｍの範囲に設定されている。
【００２５】
そして、挟持部５の対向面には、先端から上記基端部側に向けて幅寸法および上記対向面からの深さ寸法が漸次小さくなるように切り欠かれた凹部６が形成されている。これにより、対向面における凹部６の縁部６ａは、半円弧状または半楕円弧状に形成されている。
【００２６】
さらに、凹部６を除いた挟持部５の対向面上には、この鉗子部材１の長手方向と直交する方向に延在する溝部７が、上記長手方向に間隔をおいて複数形成されている。
【００２７】
上記構成からなる抜歯鉗子によれば、一対の挟持部５の対向面に、それぞれ先端から基端部側に向けて幅寸法および深さ寸法が漸次小さくなる凹部６を形成しているために、図５に示すように、抜歯すべき歯牙ｔが各々の凹部６に位置するようにして挟持すると、少なくとも一方の挟持部５の対向面においては、半円弧状または半楕円弧状をなす凹部６の縁部６ａが幅方向の２箇所において歯牙に当接する。
【００２８】
したがって、一対の挟持部５により、小さな把持力でも、上記歯牙ｔの両側から力学的なバランスに優れた３点支持または４点支持（図５においては３点支持。）によって上記歯牙ｔを強固かつ安定的に挟持することができる．しかも、対向面に形成した凹部６の縁部６ａの幅方向の２箇所において歯牙を支持する構造であるために、小さな把持力によって強固に歯牙ｔを保持できることと相まって、挟持部５の幅寸法を従来よりも小さくして、小型軽量化を図ることもできる。
【００２９】
また、挟持部５の幅寸法を小さくしても確実に挟持することができる結果、例えばう食（虫歯）により歯牙の形状が崩れている場合にも、当該歯牙ｔを両挟持部５によって少なくとも３点支持により挟持することができるために、治療効率を向上させることができる。
【００３０】
さらに、１種類の抜歯鉗子によって、大きさの異なる複数種類の歯牙を挟持することができるために、特に挟持部５の先端部の幅寸法Ｗを２ｍｍ〜５ｍｍの範囲に設定しておけば、従来３〜４本の幅寸法の異なるものが必要であったのに対して、１本の抜歯鉗子によって対応することができ、よって歯科医師において用意しておくべき抜歯鉗子の種類および本数を従来よりも低減させることができて経済性にも優れる。
【００３１】
また、歯牙の形状は、図６（ａ）に示すように、前歯では歯肉に近づくと広がるのに対して、図６（ｂ）、（ｃ）に示すように、小臼歯や大臼歯においては歯肉に近づくに連れて絞り込まれたアンカーカット形状を呈しており、いずれも複雑かつ有機的な三次元形状になっている。
【００３２】
これに対し、上記構成からなる抜歯鉗子においては、挟持部５の対向面を、軸線Ｃが枢軸２の軸線と平行な円筒面に沿う凹面によって形成しているために、図６（ｂ）、（ｃ）に見られるような小臼歯や大臼歯のように歯肉に近づくに連れて絞り込まれたアンカーカット形状を呈する歯牙ｔにも、挟持部５の先端を当接させて円滑に挟持することができる。
【００３３】
加えて、挟持部５の対向面上に、幅方向に延在する溝部７を長手方向に間隔をおいて複数形成しているために、凹部６の縁部６ａと溝部７間の山部との協働によって、複雑かつ有機的な三次元形状の歯牙ｔの対向箇所を確実に挟持することができるとともに、一層小さな把持力によって強力に歯牙を挟持することができる。
【００３４】
なお、上記実施形態においては、本発明を前歯用の抜歯鉗子に適用した場合についてのみ説明したが、本発明はこれに限定されるものではなく、図７に示す小臼歯用の抜歯鉗子や、図８に示す臼歯上顎用の抜歯鉗子等にも同様に適用することが可能である。
【符号の説明】
【００３５】
１  鉗子本体
２  枢軸
３  把持部
５  挟持部
６  凹部
６ａ  縁部
７  溝部
ｔ  歯牙
【要約】
【課題】従来よりも小さな力で歯牙を確実の保持することができるとともに、小型軽量化および治療に必要とされる本数の低減も図ることが可能になる抜歯鉗子を提供する。
【解決手段】一対の鉗子部材１が長手方向の中間部において枢軸２によって回動自在に連結されることにより、枢軸２の基端部側に互いに接離操作される把持部３が形成され、枢軸２の先端部側に上記接離操作によって開閉して歯牙を挟持する挟持部５が形成された抜歯鉗子において、一対の挟持部５の対向面に、それぞれ先端から上記基端部側に向けて幅寸法および対向面からの深さ寸法が漸次小さくなることにより、対向面に対する縁部６ａが半円弧状または半楕円弧状をなす凹部６を形成した。
【選択図】図１【図１】
0005858116.tif 000002
【図２】
0005858116.tif 000003
【図３】
0005858116.tif 000004
【図４】
0005858116.tif 000005
【図５】
0005858116.tif 000006
【図６】
0005858116.tif 000007
【図７】
0005858116.tif 000008
【図８】
0005858116.tif 000009
【図９】
0005858116.tif 000010
【図１０】
0005858116.tif 000011
【図１１】
0005858116.tif 000012
【図１２】
0005858116.tif 000013